(57)【要約】【課題】    比較的長いハサミを鞄等に収納して持ち運ぶ際にコンパクトなサイズにすることが出来、且つ刃部が露出しないように出来、且つ使用に際して素早く使用可能状態に出来、且つ従来のハサミに対して遜色の無い使用感が得られるハサミが求められている。しかし、筒状の収納ケースに一対の刃部を収納するようなアイデアでは余計にハサミが長くなってしまうし、収納ケースをなくしてしまうことも考えられる。【解決手段】  指掛部（７）を折り畳み、収納ケースの替わりとして利用することで刃部（６）の露出を簡便に抑える。【選択図】              図１
2007252935.tif 000002
【特許請求の範囲】
【請求項１】
棒状の一端部の長手方向に沿うように第１刃部と、中間部に第１軸線と、他端部に第２軸線と、を備える第１アームと、
一端部に第１指掛部を備え、他端部が前記第２軸線を中心に回転可能に前記第１アームに支持される第２アームと、
棒状の一端部の長手方向に沿うように第２刃部と、他端部に第３軸線と、を備え、前記第１軸線を中心に回転可能に中間部が前記第１アームに支持される第３アームと、
一端部に第２指掛部を備え、他端部が前記第３軸線を中心に回転可能に前記第３アームに支持される第４アームと、
を具備し、
前記第１アームの一端部の長手方向に前記第３アームの一端部の長手方向が沿うように重なり合った状態において、
当たりによって前記第１軸線を中心とする第１回転方向への前記第３アームの回転が制限され、且つ前記第１アームの一端部から前記第２アームの一端部が遠ざかった位置にあり、且つ前記第３アームの一端部から前記第４アームの一端部が遠ざかった位置にある第１状態と、
前記第１状態から前記第２軸線を中心に前記第２アームを回転させ、且つ前記第３軸線を中心に前記第４アームを回転させて、前記第３アーム又は前記第４アームに前記第２アームを係合させることで、前記第１軸線を中心に前記第１回転方向とは逆方向である第２回転方向への前記第３アームの回転が制限された第２状態と、
を有する、ハサミ。
【請求項２】
棒状の一端部の長手方向に沿うように第１刃部と、中間部に第１軸線と、他端部に第２軸線と、を備える第１アームと、
一端部に第１指掛部を備え、他端部が前記第２軸線を中心に回転可能に前記第１アームに支持される第２アームと、
棒状の一端部の長手方向に沿うように第２刃部と、他端部に第２指掛部と、を備え、前記第１軸線を中心に回転可能に中間部が前記第１アームに支持される第３アームと、
を具備し、
前記第１アームの一端部の長手方向に前記第３アームの一端部の長手方向が沿うように重なり合った状態において、
当たりによって前記第１軸線を中心とする第１回転方向への前記第３アームの回転が制限され、且つ前記第１アームの一端部から前記第２アームの一端部が遠ざかった位置にある第１状態と、
前記第１状態から前記第２軸線を中心に前記第２アームを回転させて前記第３アームに前記第２アームを係合させることで、前記第１軸線を中心に前記第１回転方向とは逆方向である第２回転方向への前記第３アームの回転が制限された第２状態と、
を有する、ハサミ。
【請求項３】
前記第２状態において、前記第２刃部は前記第１指掛部及び前記第２指掛部の間に配置される、
請求項１に記載のハサミ。
【請求項４】
前記第２状態において、前記第２刃部は前記第１指掛部の内側に配置される、
請求項１から請求項２のいずれかに記載のハサミ。
【請求項５】
前記第２軸線は、前記第１軸線に対して略垂直であり、且つ前記第１アームの棒状の一端部の長手方向に対して略垂直である、
請求項１から請求項４のいずれかに記載のハサミ。
【発明の詳細な説明】
【技術分野】
【０００１】
本発明は、紙等を切断するハサミに関する。
【背景技術】
【０００２】
ハサミにおいては、特許文献１のように一対のアームの一端部に一対の刃部と、中間部に一対のアームを相対回転可能に支持する軸ピンと、他端部に一対の輪状の指掛部と、を備えているものが多い。
また、特許文献２のように一対のアームを相対回転可能に支持する軸ピンと指掛部の間に配置される、軸ピンに略平行な軸線を中心に指掛部が回転可能に支持されるアイデアが知られている。
【０００３】
【特許文献１】特開平０６−２３３８７２号公報
【特許文献２】実開平０２−１０９５６２号公報
【０００４】
また、筒状の収納ケースに一対の刃部を挿入し収納するアイデアがよく知られている。
【発明の開示】
【発明が解決しようとする課題】
【０００５】
比較的長いハサミを鞄等に収納して持ち運ぶ際にコンパクトなサイズにすることが出来、且つ刃部が露出しないように出来、且つ使用に際して素早く使用可能状態に出来、且つ従来のハサミに対して遜色の無い使用感が得られるハサミが求められている。
しかし、筒状の収納ケースに一対の刃部を収納するようなアイデアでは余計にハサミが長くなってしまうし、収納ケースをなくしてしまうことも考えられる。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係るハサミは、例えば図１から３の組み、図４から６の組み、のいずれかの組みのように、
棒状の一端部の長手方向に沿うように刃部５と、中間部に軸線１１と、他端部に軸線１２と、を備えるアーム１と、
一端部に指掛部７を備え、他端部が軸線１２を中心に回転可能にアーム１に支持されるアーム２と、
棒状の一端部の長手方向に沿うように刃部６と、他端部に軸線１３と、を備え、軸線１１を中心に回転可能に中間部がアーム１に支持されるアーム３と、
一端部に指掛部８を備え、他端部が軸線１３を中心に回転可能にアーム３に支持されるアーム４と、
を具備し、
アーム１の一端部の長手方向にアーム３の一端部の長手方向が沿うように重なり合った状態において、
当たり１０によって軸線１１を中心とする第１回転方向へのアーム３の回転が制限され、且つアーム１の一端部からアーム２の一端部が遠ざかった位置にあり、且つアーム３の一端部からアーム４の一端部が遠ざかった位置にある図１又は４のような第１状態と、
前記第１状態から軸線１２を中心にアーム２を回転させて図２又は５のようにし、且つ軸線１３を中心にアーム４を回転させて、アーム３又は４にアーム２を係合させることで、軸線１１を中心に前記第１回転方向とは逆方向である第２回転方向へのアーム３の回転が制限された図３又は６のような第２状態と、
を有する、ハサミである。
【０００８】
発明２に係るハサミは、例えば図７及び８の組みのように、
棒状の一端部の長手方向に沿うように刃部５と、中間部に軸線１１と、他端部に軸線１２と、を備えるアーム１と、
一端部に指掛部７を備え、他端部が軸線１２を中心に回転可能にアーム１に支持されるアーム２と、
棒状の一端部の長手方向に沿うように刃部６と、他端部に指掛部８と、を備え、軸線１１を中心に回転可能に中間部がアーム１に支持されるアーム３と、
を具備し、
アーム１の一端部の長手方向にアーム３の一端部の長手方向が沿うように重なり合った状態において、
当たり１０によって軸線１１を中心とする第１回転方向へのアーム３の回転が制限され、且つアーム１の一端部からアーム２の一端部が遠ざかった位置にある図７のような第１状態と、
前記第１状態から軸線１２を中心にアーム２を回転させてアーム３にアーム２を係合させることで、軸線１１を中心に前記第１回転方向とは逆方向である第２回転方向へのアーム３の回転が制限された図８のような第２状態と、
を有する、ハサミである。
【０００９】
発明３に係るハサミは、発明１のハサミにおいて、例えば図４から６の組みのように、
図６のような前記第２状態において、刃部６は指掛部７及び８の間に配置される、
ハサミである。
【００１０】
発明４に係るハサミは、発明１から２のいずれかのハサミにおいて、例えば図１から３の組み、図７及び８の組み、のいずれかの組みのように、
図３又は８のような前記第２状態において、刃部６は指掛部７の内側に配置される、
ハサミである。
【００１１】
発明５に係るハサミは、発明１から４のいずれかのハサミにおいて、例えば図１から３の組み、図４から６の組み、図７及び８の組み、のいずれかの組みのように、
軸線１２は、軸線１１に対して略垂直であり、且つアーム１の棒状の一端部の長手方向に対して略垂直である、
ハサミである。
【発明の効果】
【００１２】
以上のように本発明では、指掛部７（８）を折り畳み、収納ケースの替わりとして利用することで刃部６（５）の露出を簡便に抑えることが可能である。
【００１３】
さらに発明１によると、本発明の効果に加えて、よりコンパクトに折り畳み可能となる。
【００１４】
さらに発明３又は４によると、本発明の効果に加えて、刃部６の露出をより抑えることが可能となる。
【００１５】
さらに発明５によると、本発明の効果に加えて、軸線１１に対して軸線１２を略垂直に配置したことでハサミとして使用する際の軸線１２を中心とする指掛部７の回転止めを合理的に構成可能となり、且つ折り畳みの際に刃部５及び６が容易に開いてしまうような問題を発生しにくく出来る。
【発明を実施するための最良の形態】
【００１６】
〔第１実施形態〕
図１において、アーム１及び３それぞれの一端部の刃部５及び６は鉄板の打ち抜き成型後の部材に切削加工を施したものであり、中間部には軸線１１を中心とする軸ピン９が隙間嵌合される貫通穴が開けられており、他端部の支持部１４及び２０には軸線１２及び１３を中心に回転可能で当たり１９及び２５によって一回転方向への回転が制限されているアーム２及び４の支持部１５及び２１が支持されている。
続いて、アーム２を軸線１２中心に他回転方向へ約１８０度回転させることで図２のような状態になり、アーム２に備えられた凹状の係合形状１６及び１８にそれぞれアーム３の中間部及び一端部が嵌るように係合する。
続いて、アーム４を軸線１３中心に他回転方向へ約１８０度回転させることで図３のような状態になり、アーム４に備えられた凹状の係合形状２２及び２４にそれぞれアーム１の中間部及び一端部が嵌るように係合すると同時に、アーム２及び４にそれぞれ備えられた凸状の係合形状１７及び２３がアーム４及び２に摺動抵抗を生じながら係合する。
【００１７】
また、当たり１９はアーム１及び２の間に、当たり２５はアーム３及び４の間に設けられている。
また、軸線１１を中心とするアーム１及び３の一回転方向への回転を制限する為の当たり１０は軸線１２付近に設けることが好ましく、アーム１又は２とアーム３又は４の間に設けることが出来るが、アーム１及び３の間に設けるのが合理的である。
また、係合形状１６、１７、１８、２２、２３、及び２４のいずれかにおける係合のみによって軸線１１を中心とするアーム１及び３の他回転方向への回転が制限されるので、複数の係合形状を無理に備える必要は無い。
また、図３のような状態において、刃部５及び６はそれぞれ輪状の指掛部８及び７の内側に配置されており、且つ刃部５及び６は指掛部７及び８の間に配置されている。
【００１８】
〔第２実施形態〕
図４において、アーム１及び３それぞれの一端部の刃部５及び６は鉄板の打ち抜き成型後の部材に切削加工を施したものであり、中間部には軸線１１を中心とする軸ピン９が隙間嵌合される貫通穴が開けられており、他端部の支持部１４及び２０には軸線１２及び１３を中心に回転可能で当たり１９及び２５によって一回転方向への回転が制限されているアーム２及び４の支持部１５及び２１が支持されている。
続いて、アーム２を軸線１２中心に他回転方向へ約１８０度回転させることで図５のような状態になり、アーム２に備えられた凹状の係合形状２６にアーム３の刃部６の峰が嵌るように係合する。
続いて、アーム４を軸線１３中心に他回転方向へ約１８０度回転させることで図６のような状態になり、アーム４に備えられた凹状の係合形状２７にアーム１の刃部５の峰が嵌るように係合する。
【００１９】
また、当たり１９はアーム１及び２の間に、当たり２５はアーム３及び４の間に設けられている。
また、軸線１１を中心とするアーム１及び３の一回転方向への回転を制限する為の当たり１０は軸線１２付近に設けることが好ましく、アーム１又は２とアーム３又は４の間に設けることが出来るが、アーム１及び３の間に設けるのが合理的である。
また、係合形状２６又は２７における係合のみによって軸線１１を中心とするアーム１及び３の他回転方向への回転が制限されるので、複数の係合形状を無理に備える必要は無い。
また、図６のような状態において、刃部５及び６は輪状の指掛部７及び８の間に配置されている。
【００２０】
〔第３実施形態〕
第３実施形態は、第１実施形態のハサミのアーム３及び４を一体化しアーム３としたようなハサミであり、図７においてアーム１及び３の間に当たり１０が設けられている。
また、図８において係合形状１６の縁に新たに設けられた爪形状２８がアーム１の中間部に掛止されている。
また、図８のような状態において、刃部６は輪状の指掛部７の内側に配置されている。
【図面の簡単な説明】
【００２１】
【図１】第１実施形態の第１状態を表す図
【図２】第１実施形態の第１状態及び第２状態の中間状態を表す図
【図３】第１実施形態の第２状態を表す図
【図４】第２実施形態の第１状態を表す図
【図５】第２実施形態の第１状態及び第２状態の中間状態を表す図
【図６】第２実施形態の第２状態を表す図
【図７】第３実施形態の第１状態を表す図
【図８】第３実施形態の第２状態を表す図
【符号の説明】
【００２２】
１,２,３,４.                        アーム
５,６.                                 刃部
７,８.                                 指掛部
９.                                      軸ピン
１０,１９,２５.                 当たり
１１,１２,１３.                 軸線
１４,１５,２０,２１.         支持部
１６,１７,１８,２２,
２３,２４,２６,２７.         係合形状
２８.                                  爪形状
【図１】
2007252935.tif 000003
【図２】
2007252935.tif 000004
【図３】
2007252935.tif 000005
【図４】
2007252935.tif 000006
【図５】
2007252935.tif 000007
【図６】
2007252935.tif 000008
【図７】
2007252935.tif 000009
【図８】
2007252935.tif 000010